(57)【要約】【課題】近距離無線通信で通信を行う通信機器を簡単に識別することができること。【解決手段】通信システムであって、第１通信機器は、検索要求を送信し、当該検索要求を受信した第２通信機器から返信された当該第２通信機器の固有番号を含む情報を受信する第１近距離無線通信手段と、第２通信機器の固有番号を受信した後、当該第２通信機器を近距離無線通信の候補として表示する表示手段と、近距離無線通信の候補のうちの第２通信機器を選択する選択手段と、選択手段によって第２通信機器が選択されると、当該第２通信機器の固有番号に対応する報知制御を実行する第１制御手段と、を有し、第２通信機器は、検索要求を受信した後、自機の固有番号を含む情報を送信する第２近距離無線通信手段と、自機の固有番号に対応する報知制御を実行する第２制御手段と、を有すること。【選択図】図５
2013030844.tif 000002
【特許請求の範囲】
【請求項１】
第１通信機器と、前記第１通信機器と近距離無線通信が可能な第２通信機器と、を備える通信システムであって、
前記第１通信機器は、
検索要求を送信し、当該検索要求を受信した前記第２通信機器から返信された当該第２通信機器の固有番号を含む情報を受信する第１近距離無線通信手段と、
前記第２通信機器の固有番号を受信した後、当該第２通信機器を前記近距離無線通信の候補として表示する表示手段と、
前記近距離無線通信の候補のうちの前記第２通信機器を選択する選択手段と、
前記選択手段によって前記第２通信機器が選択されると、当該第２通信機器の固有番号に対応する報知制御を実行する第１制御手段と、を有し、
前記第２通信機器は、
前記検索要求を受信した後、自機の固有番号を含む情報を送信する第２近距離無線通信手段と、
前記自機の固有番号に対応する報知制御を実行する第２制御手段と、
を有することを特徴とする通信システム。
【請求項２】
前記固有番号に対応する報知制御は、当該固有番号の一部に基づいて決定されることを特徴とする請求項１に記載の通信システム。
【請求項３】
前記第２制御手段は、前記第２近距離無線通信手段で前記検索要求を受信したとき、前記自機の固有番号に対応する報知制御を決定することを特徴とする請求項２に記載の通信システム。
【請求項４】
前記第１制御手段は、前記選択された第２通信機器が近距離無線通信相手として決定すると、前記第１近距離無線通信手段により当該第２通信機器に対して通信接続要求を送信し、
前記第２制御手段は、前記通信接続要求を受信すると、前記自機の固有番号に対応する報知制御を終了することを特徴とする請求項１から３のいずれか一項に記載の通信システム。
【請求項５】
前記第２制御手段は、所定時間以内に前記通信接続要求を受信しない場合、前記固有番号に対応する報知制御を終了することを特徴とする請求項４に記載の通信システム。
【請求項６】
前記通信接続要求はペアリング要求であることを特徴とする請求項４または５に記載の通信システム。
【請求項７】
前記近距離無線通信は、Bluetooth方式を用いた通信であることを特徴とする請求項１から６のいずれか一項に記載の通信システム。
【請求項８】
前記第１通信機器及び前記第２通信機器は、さらに照明部を有し、
前記固有番号に対応する報知制御は、当該固有番号に対応する報知方式を決定し、当該決定した報知方式により前記照明部を点滅させる制御であることを特徴とする請求項１から７のいずれか一項に記載の通信システム。
【請求項９】
前記照明部は、それぞれ異なる色を発光する２つの発光素子を有し、
前記報知方式は、前記２つの発光素子のいずれか又は両方の点灯又は点滅を含むことを特徴とする請求項８に記載の通信システム。
【請求項１０】
前記報知制御は、前記表示手段により実行することを特徴とする請求項１から７のいずれか一項に記載の通信システム。
【請求項１１】
他の通信機器と近距離無線通信可能な通信機器であって、
検索要求を送信し、当該検索要求を受信した前記他の通信機器から返信された当該他の通信機器の固有番号を含む情報を受信する近距離無線通信手段と、
前記他の通信機器の固有番号を受信した後、当該他の通信機器を前記近距離無線通信の候補として表示する表示手段と、
前記近距離無線通信の候補のうちの前記他の通信機器を選択する選択手段と、
前記選択手段によって前記他の通信機器が選択されると、当該他の通信機器の固有番号に対応する報知制御を実行する制御手段と、を有することを特徴とする通信機器。
【請求項１２】
他の通信機器と近距離無線通信可能な通信機器であって、
前記他の通信機器から検索要求を受信した後、自機の固有番号を含む情報を送信する近距離無線通信手段と、
前記自機の固有番号に対応する報知制御を実行する制御手段と、を有することを特徴とする通信機器。
【請求項１３】
第１通信機器と第２通信機器との間で行われる近距離無線通信を制御する制御方法であって、
前記第１通信機器から送信された検索要求を前記第２通信機器が受信するステップと、
前記第２通信機器から返信された当該第２通信機器の固有番号を含む情報を前記第１通信機器が受信するステップと、
前記第２通信機器の固有番号を受信した後、当該第２通信機器を前記近距離無線通信の候補として表示するステップと、
前記近距離無線通信の候補のうちの前記第２通信機器が選択されると、当該第２通信機器の固有番号に対応する報知制御を実行するステップと、
前記第２通信機器が、前記自機の固有番号に対応する報知制御を実行するステップと、を有することを特徴とする制御方法。
【発明の詳細な説明】
【技術分野】
【０００１】
本発明は、近距離無線通信を行う通信機器を有する通信システム、他の通信機器と近距離無線通信を行う通信機器および制御方法に関する。
【背景技術】
【０００２】
近年、携帯電話機、ＰＤＡ、パーソナルコンピュータ等の電子機器には、近距離無線通信により他の電子機器と通信する機能を備えているものがある。近距離無線通信を行う通信機器は、通信を行う通信機器とペアリング処理を行い、その後所望のデータの送受信を実行する。また、特許文献１には、無線通信による遠隔制御システムにおいて、遠隔制御装置が、ペアリングを実行することで通信対象の電子機器を特定することが記載されている。
【先行技術文献】
【特許文献】
【０００３】
【特許文献１】特開２００８−２０５７８０号公報
【発明の概要】
【発明が解決しようとする課題】
【０００４】
通信機器は、近距離無線通信を行う際に、まず通信を希望する通信機器を特定した上で、特定した通信機器との通信を開始する。また、通信機器は、近距離無線通信可能な範囲内に通信機器が複数ある場合、複数の通信機器のうちから通信を希望する通信機器を特定する必要がある。しかし、複数の通信機器から通信を希望する通信機器を特定するのは困難である。
【０００５】
本発明は、上記に鑑みてなされたものであって、近距離無線通信を希望する通信機器を容易に特定することができる通信システム、通信機器および制御方法を提供することを目的とする。
【課題を解決するための手段】
【０００６】
上述した課題を解決し、目的を達成するために、本発明は、第１通信機器と、前記第１通信機器と近距離無線通信が可能な第２通信機器と、を備える通信システムであって、前記第１通信機器は、検索要求を送信し、当該検索要求を受信した前記第２通信機器から返信された当該第２通信機器の固有番号を含む情報を受信する第１近距離無線通信手段と、前記第２通信機器の固有番号を受信した後、当該第２通信機器を前記近距離無線通信の候補として表示する表示手段と、前記近距離無線通信の候補のうちの前記第２通信機器を選択する選択手段と、前記選択手段によって前記第２通信機器が選択されると、当該第２通信機器の固有番号に対応する報知制御を実行する第１制御手段と、を有し、前記第２通信機器は、前記検索要求を受信した後、自機の固有番号を含む情報を送信する第２近距離無線通信手段と、前記自機の固有番号に対応する報知制御を実行する第２制御手段と、を有することを特徴とする。
【０００７】
また、前記固有番号に対応する報知制御は、当該固有番号の一部に基づいて決定されることが好ましい。
【０００８】
また、前記第２制御手段は、前記第２近距離無線通信手段で前記検索要求を受信したとき、前記自機の固有番号に対応する報知制御を決定することが好ましい。
【０００９】
また、前記第１制御手段は、前記選択された第２通信機器が近距離無線通信相手として決定すると、前記第１近距離無線通信手段により当該第２通信機器に対して通信接続要求を送信し、前記第２制御手段は、前記通信接続要求を受信すると、前記自機の固有番号に対応する報知制御を終了することが好ましい。
【００１０】
また、前記第２制御手段は、所定時間以内に前記通信接続要求を受信しない場合、前記固有番号に対応する報知制御を終了することが好ましい。
【００１１】
また、前記通信接続要求はペアリング要求であることが好ましい。
【００１２】
また、前記近距離無線通信は、Bluetooth方式を用いた通信であることが好ましい。
【００１３】
また、前記第１通信機器及び前記第２通信機器は、さらに照明部を有し、前記固有番号に対応する報知制御は、当該固有番号に対応する報知方式を決定し、当該決定した報知方式により前記照明部を点滅させる制御であることが好ましい。
【００１４】
また、前記照明部は、それぞれ異なる色を発光する２つの発光素子を有し、前記報知方式は、前記２つの発光素子のいずれか又は両方の点灯又は点滅を含むことが好ましい。
【００１５】
また、前記報知制御は、前記表示手段により実行することが好ましい。
【００１６】
上述した課題を解決し、目的を達成するために、本発明は、他の通信機器と近距離無線通信可能な通信機器であって、検索要求を送信し、当該検索要求を受信した前記他の通信機器から返信された当該他の通信機器の固有番号を含む情報を受信する近距離無線通信手段と、前記他の通信機器の固有番号を受信した後、当該他の通信機器を前記近距離無線通信の候補として表示する表示手段と、前記近距離無線通信の候補のうちの前記他の通信機器を選択する選択手段と、前記選択手段によって前記他の通信機器が選択されると、当該他の通信機器の固有番号に対応する報知制御を実行する制御手段と、を有することを特徴とする。
【００１７】
上述した課題を解決し、目的を達成するために、本発明は、他の通信機器と近距離無線通信可能な通信機器であって、前記他の通信機器から検索要求を受信した後、自機の固有番号を含む情報を送信する近距離無線通信手段と、前記自機の固有番号に対応する報知制御を実行する制御手段と、を有することを特徴とする。
【００１８】
上述した課題を解決し、目的を達成するために、本発明は、第１通信機器と第２通信機器との間で行われる近距離無線通信を制御する制御方法であって、前記第１通信機器から送信された検索要求を前記第２通信機器が受信するステップと、前記第２通信機器から返信された当該第２通信機器の固有番号を含む情報を前記第１通信機器が受信するステップと、前記第２通信機器の固有番号を受信した後、当該第２通信機器を前記近距離無線通信の候補として表示するステップと、前記近距離無線通信の候補のうちの前記第２通信機器が選択されると、当該第２通信機器の固有番号に対応する報知制御を実行するステップと、前記第２通信機器が、前記自機の固有番号に対応する報知制御を実行するステップと、を有することを特徴とする。
【発明の効果】
【００１９】
本発明にかかる通信システム、通信機器および制御方法は、近距離無線通信で通信を行う通信機器を簡単に識別することができるという効果を奏する。
【図面の簡単な説明】
【００２０】
【図１】図１は、本発明の携帯電話を有する本発明の通信システムの概略構成を示す説明図である。
【図２】図２は、本発明の電子機器の一実施形態である携帯電話の外観を示す正面図である。
【図３】図３は、図２に示す携帯電話の機能の概略構成を示すブロック図である。
【図４】図４は、図１に示すワイヤレスヘッドホンの機能の概略構成を示すブロック図である。
【図５】図５は、通信システムの処理動作を説明するための説明図である。
【図６】図６は、携帯電話の処理動作を説明するための説明図である。
【図７】図７は、携帯電話の処理動作の一例を示すフロー図である。
【図８】図８は、通信機器の処理動作の一例を示すフロー図である。
【発明を実施するための形態】
【００２１】
以下、本発明を、図面を参照しつつ詳細に説明する。以下においては、通信機器の一例として携帯電話、ワイヤレスヘッドホン、ワイヤレスキーボード、パーソナルコンピュータを例として説明するが、本発明の適用対象は携帯電話、ワイヤレスヘッドホン、ワイヤレスキーボード、パーソナルコンピュータに限定されるものではなく、近距離無線通信機能を備える種々の通信機器に用いることができる。例えば、通信機器としては、ＰＨＳ（Personal  Handy-phone  System）、ＰＤＡ（Personal  Digital  Assistant）、ポータブルナビゲーション装置、パーソナルコンピュータ、ゲーム機等に対しても本発明は適用できる。さらに、ワイヤレスマウス、プリンター、サーバ等の近距離無線通信機能を備える通信機器にも用いることができる。
【００２２】
図１は、本発明の携帯電話を有する本発明の通信システムの概略構成を示す説明図である。図１に示す通信システム１は、複数のパーソナルコンピュータ６ａ、６ｂ、６ｃと、複数のワイヤレスヘッドホン８ａ、８ｂ、８ｃと、複数のワイヤレスキーボード９ａ、９ｂと、複数の携帯電話１０、１０ａ、１０ｂとで構成されている。
【００２３】
パーソナルコンピュータ（以下「ＰＣ」という。）６ａ、６ｂ、６ｃは、近距離無線通信機能を備える、出力機器である。また、ワイヤレスヘッドホン８ａ、８ｂ、８ｃは、近距離無線通信機能を備える出力機器である。ワイヤレスヘッドホン８ａ、８ｂ、８ｃは、携帯電話１０と近距離無線通信を行い、通信を行っている携帯電話１０から近距離無線通信で受信したデータを音声として出力することで、通信している携帯電話１０の出力機器となる。ワイヤレスキーボード９ａ、９ｂは、近距離無線通信機能を備える入力機器である。ワイヤレスキーボード９ａ、９ｂは、携帯電話１０と近距離無線通信を行い、入力された操作の情報を送信することで、通信している携帯電話１０の入力機器となる。また、ワイヤレスヘッドホン８ａ、８ｂ、８ｃ、ワイヤレスキーボード９ａ、９ｂは、それぞれ後述する発光部５８を備えている。
【００２４】
携帯電話１０、１０ａ、１０ｂは、近距離無線通信を行う通信機器である。なお、携帯電話１０、１０ａ、１０ｂは、公衆通信網を介しての通信を実行でき、音声信号等の信号を公衆通信網に送信し、公衆通信網から音声信号等の信号を受信する。また、それぞれの携帯電話１０、１０ａ、１０ｂには、それぞれ電話番号、固有番号が割り当てられ、記憶されている。携帯電話１０、１０ａ、１０ｂの構成については、後ほど説明する。
【００２５】
通信システム１は、以上のような構成である。通信システム１は、携帯電話１０と近距離無線通信が可能な各種通信機器とで構成されている。携帯電話１０は、近距離無線通信機能により、複数のパーソナルコンピュータ６ａ、６ｂ、６ｃと、複数のワイヤレスヘッドホン８ａ、８ｂ、８ｃと、複数のキーボード９ａ、９ｂ、複数の携帯電話１０ａ、１０ｂのそれぞれと、情報の送受信を行うことができる。つまり、通信システム１は、携帯電話（第１通信機器）１０と、携帯電話１０が近距離無線通信をできる領域内にあり、かつ、近距離無線通信機能を有する通信機器（第２通信機器）と、で構成される。なお、通信システム１を構成する携帯電話１０以外の通信機器の数は特に限定されない。また、通信機器の種類も携帯通信機器、ワイヤレスヘッドホン、ワイヤレスキーボード、ＰＣには限定されない。
【００２６】
次に、携帯電話１０、１０ａ、１０ｂについて説明する。なお、携帯電話１０と携帯電話１０ａと携帯電話１０ｂとは、筐体の形状が異なるが内部構成は、基本的に同様の装置構成である。以下、携帯電話１０を用いて説明する。
【００２７】
図２は、本発明の電子機器の一実施形態である携帯電話１０の外観を示す正面図である。携帯電話１０は、筐体１１を有する。携帯電話１０は、筐体１１の表面に、タッチパネル１２と、ボタン３０、ボタン３２および入力デバイス３４からなる入力部１３と、レシーバ１７と、マイク１８と、第１ＬＥＤ４０Ａおよび第２ＬＥＤ４０Ｂからなる発光部４０と、が配置されている。
【００２８】
タッチパネル１２は、文字、図形、画像等を表示するとともに、指、スタイラス、ペン等（以下、単に「指」という）を用いてタッチパネル１２に対して行われる各種動作を検出する。例えば、携帯電話１０は、利用者から文字の入力を受け付けるために、タッチパネル１２上に仮想キーボードを表示させる。携帯電話１０は、タッチパネル１２上に仮想キーボードを表示させた状態で、指によってタッチパネル１２に入力される各種動作を検出し、仮想キーボードのどのキーが接触されたかを検出し、接触を検出したキーを入力したキーとすることで、文字入力を行うことができる。また、タッチパネル１２は、文字の入力によらず、表示させている画像と、指によってタッチパネル１２に対して行われる各種動作とに基づいて、各種操作の入力を検出し、入力された操作に基づいて各種制御を行う。
【００２９】
入力部１３は、ボタン３０、３２が押下された場合に、押下されたボタンに対応する機能を起動させる。また、入力部１３は、入力デバイス３４に入力された動作も操作として検出し、入力された操作に基づいて各種制御を行う。例えば、入力デバイス３４は、方向指示操作や決定操作を検出する。入力デバイス３４は、タッチパッド、光学式入力デバイス、四方および中央にボタンを備える入力デバイス等で構成される。
【００３０】
次に、携帯電話１０の機能と制御部との関係を説明する。図３は、図２に示す携帯電話１０の機能の概略構成を示すブロック図である。図３に示すように携帯電話１０は、タッチパネル１２と、入力部１３と、電源部１５と、通信部１６と、レシーバ１７と、マイク１８と、記憶部１９と、制御部（第１制御手段）２０と、近距離無線通信部（第１近距離無線通信手段）２４と、発光部（照明部）４０と、を有する。
【００３１】
タッチパネル１２は、表示部（表示手段）１２Ｂと、表示部１２Ｂに重畳されたタッチセンサ（操作手段）１２Ａと、を有する。タッチセンサ１２Ａは、指によってタッチパネル１２に対して行われた各種動作を、動作が行われた位置とともに検出する。タッチセンサ１２Ａによって検出される動作には、指をタップする動作、スワイプする動作や、指をリリースする動作が含まれる。なお、タッチセンサ１２Ａは、感圧式、静電容量式等のいずれの検出方式を採用してもよい。表示部１２Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００３２】
入力部（操作手段）１３は、上述したようにボタン３０、３２と、入力デバイス３４とを有する。ボタン３０、３２は、物理的な入力（押下）を通じて利用者の操作を受け付け、受け付けた操作に対応する信号を制御部２０へ送信する。入力デバイス３４は、利用者により受け付けた操作に対応する信号を制御部２０へ送信する。
【００３３】
電源部１５は、蓄電池または外部電源から得られる電力を、制御部２０を含む携帯電話１０の各機能部へ供給する。通信部１６は、基地局によって割り当てられるチャネルを介し、基地局との間でＣＤＭＡ方式等による無線信号回線を確立し、基地局との間で電話通信および情報通信を行う。レシーバ１７は、電話通信における相手側の音声や着信音等を出力する。マイク１８は、利用者等の音声を入力する。
【００３４】
記憶部１９は、例えば、メモリや磁気記憶装置であり、制御部２０での処理に利用されるプログラムやデータを保存する。記憶部１９は、制御部２０の処理結果を一時的に記憶する作業領域としても利用される。記憶部１９は、半導体記憶デバイス、及び磁気記憶デバイス等の任意の記憶デバイスを含んでよい。記憶部１９は、複数の種類の記憶デバイスを含んでよい。また、記憶部１９は、メモリカード等の可搬の記憶媒体と、記憶媒体の読み取り装置との組み合わせを含んでよい。
【００３５】
記憶部１９は、近距離無線通信部２４を用いて他の通信機器と情報の送受信を行うための近距離無線通信プログラム１９Ａや、近距離無線通信部２４を用いて他の通信機器と通信を開始する処理の際に、選択している通信機器を示す情報を報知する方法を決定する点灯パターン（報知方式）決定プログラム１９Ｂや、決定した点灯パターンに基づいて点灯（報知制御）を実行する報知制御プログラム１９Ｃや、各種プログラムを実行する際に用いる各種条件を対応付けた処理条件テーブル１９Ｄ、自機の固有番号（例えば、ＭＡＣアドレス（Media Access Control address））、自機のデバイス名等の機器情報１９Ｅと、を記憶する。また、記憶部１９には、携帯電話１０の基本的な機能を実現するオペレーティングシステムプログラムや、氏名、電話番号、メールアドレス等が登録されたアドレス帳データ等の他のプログラムやデータも記憶される。また、記憶部１９には、タッチパネル１２に入力された入力操作に基づいて制御を決定するプログラム等も記憶される。なお、制御とは、携帯電話１０で実行する各種動作、処理が含まれ、例えば、カーソル、ポインタの移動、画面の表示切換、文字入力処理、各種アプリケーションの起動処理、終了処理がある。
【００３６】
制御部２０は、例えば、ＣＰＵ（Central  Processing  Unit）であり、携帯電話１０の動作を統括的に制御する。具体的には、制御部２０は、記憶部１９に記憶されているデータを必要に応じて参照しつつ、記憶部１９に記憶されているプログラムを実行して、タッチパネル１２、入力部１３、通信部１６、近距離無線通信部２４等を制御することによって各種処理を実行する。制御部２０は、記憶部１９に記憶されているプログラムや、処理を実行することによって取得／生成／加工されたデータを、一時的な記憶領域を提供する記憶部１９に必要に応じて展開する。なお、制御部２０が実行するプログラムや参照するデータは、通信部１６による無線通信でサーバ装置からダウンロードすることとしてもよい。
【００３７】
近距離無線通信部２４は、近距離無線通信技術を用いて、近距離通信可能な他の通信機器と通信を行う通信部（情報通信部）である。なお、近距離無線通信技術としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術を用いることができる。
【００３８】
発光部４０は、携帯電話１０の動作状態に応じて発光される発光機構であり、第１ＬＥＤ４０Ａと第２ＬＥＤ４０Ｂとを有する。第１ＬＥＤ４０Ａと、第２ＬＥＤ４０Ｂとは、それぞれ異なる色の光を出力する発光ダイオードである。例えば、第１ＬＥＤ４０Ａは、青色の光を出力し、第２ＬＥＤ４０Ｂは、赤色の光を出力する。なお、本実施形態の発光部４０は、発行素子としてＬＥＤを用いたが、少なくとも２つ以上の発光素子を備えており、少なくとも２箇所で互いに異なる色を出力する構成であればよく、発光素子はＬＥＤに限定されない。
【００３９】
次に、図４を用いて、携帯電話１０と近距離無線通信機能で通信を行う通信機器（第２通信機器）の機能の概略構成について説明する。なお、図４では、通信システム１を構成する第２通信機器のうち、ワイヤレスヘッドホン８ａについて説明する。図４は、図１に示すワイヤレスヘッドホンの機能の概略構成を示すブロック図である。図４に示すようにワイヤレスヘッドホン８ａは、利用者が頭部に装着する音声出力機器であり、スピーカ５２と、近距離無線通信部（第２近距離無線通信手段）５４と、電源部５６と、発光部５８と、記憶部５９と、制御部（第２制御手段）６０と、を有する。
【００４０】
スピーカ５２は、近距離通信機能を用いた通信で取得した音（音声、音楽）等を出力する。近距離無線通信部５４は、近距離無線通信技術を用いて、近距離通信可能な他の通信機器と通信を行う通信部（情報通信部）である。電源部５６は、蓄電池または外部電源から得られる電力を、制御部２０を含むワイヤレスヘッドホン８ａの各機能部へ供給する。
【００４１】
発光部５８は、ワイヤレスヘッドホン８ａの動作状態に応じて発光される発光機構であり、第１ＬＥＤ５８Ａと第２ＬＥＤ５８Ｂとを有する。第１ＬＥＤ５８Ａと、第２ＬＥＤ５８Ｂとは、それぞれ異なる色の光を出力する発光ダイオードである。例えば、第１ＬＥＤ５８Ａは、青色の光を出力し、第２ＬＥＤ５８Ｂは、赤色の光を出力する。なお、本実施形態の発光部５８は、発行素子としてＬＥＤを用いたが、少なくとも２つ以上の発光素子を備えており、少なくとも２箇所で互いに異なる色を出力する構成であればよく、発光素子はＬＥＤに限定されない。
【００４２】
記憶部５９は、例えば、不揮発性メモリや磁気記憶装置であり、制御部６０での処理に利用されるプログラムやデータを保存する。また、記憶部５９は、制御部６０の処理結果を一時的に記憶する作業領域としても利用される。記憶部５９は、半導体記憶デバイス、及び磁気記憶デバイス等の任意の記憶デバイスを含んでよい。また、記憶部５９は、複数の種類の記憶デバイスを含んでよい。また、記憶部５９は、メモリカード等の可搬の記憶媒体と、記憶媒体の読み取り装置との組み合わせを含んでよい。
【００４３】
記憶部５９は、自機の固有番号、自機のデバイス名等の機器情報５９Ａと、近距離無線通信部５４を用いて他の通信機器と情報の送受信を行うための近距離無線通信プログラム５９Ｂや、近距離無線通信部５４を用いて他の通信機器と通信を開始する処理の際に、選択している通信機器を示す情報を報知する方法を決定する点灯パターン決定プログラム５９Ｃや、決定した点灯パターンに基づいて点灯（報知制御）を実行する報知制御プログラム５９Ｄを記憶する。また、記憶部５９には、音声出力を制御する音声出力制御プログラム等の他のプログラムやデータも記憶される。
【００４４】
制御部６０は、例えば、ＣＰＵ（Central  Processing  Unit）であり、ワイヤレスヘッドホン８ａの動作を統括的に制御する。具体的には、制御部６０は、記憶部５９に記憶されているデータを必要に応じて参照しつつ、記憶部５９に記憶されているプログラムを実行して、スピーカ５２、近距離無線通信部５４等を制御することによって各種処理を実行する。制御部６０は、記憶部５９に記憶されているプログラムや、処理を実行することによって取得／生成／加工されたデータを、一時的な記憶領域を提供する記憶部５９に必要に応じて展開する。
【００４５】
次に、図５から図８を用いて、通信システム１及び携帯電話１０の動作について説明する。ここで、以下の説明では、携帯電話１０が通信可能な通信機器からワイヤレスヘッドホン８ａを通信相手として選択する場合の例として説明する。図５は、通信システムの処理動作を説明するための説明図である。図６は、携帯電話の処理動作を説明するための説明図である。図７は、携帯電話の処理動作の一例を示すフロー図である。図８は、通信機器の処理動作の一例を示すフロー図である。
【００４６】
まず、図５および図６を用いて、通信システム１での近距離無線通信のペアリング処理について説明する。図５は、携帯電話１０が近距離無線通信の開始の要求を送信する通信機器となり、他の通信機器が近距離無線通信の開始の要求を受信する通信機器となる例を示している。また、図５では、通信システム１に含まれる通信機器のうち、携帯電話１０と、ワイヤレスヘッドホン８ａ、８ｂのみを示すが、携帯電話１０と近距離無線通信が可能な範囲内にある、ＰＣ６ａ、６ｂ、６ｃ、ワイヤレスヘッドホン８ｃ、ワイヤレスキーボード９ａ、９ｂ、携帯電話１０ａ、１０ｂもワイヤレスヘッドホン８ａ、８ｂと同様の処理を実行する。
【００４７】
通信システム１の携帯電話１０は、近距離無線通信を開始する操作が入力されると、まずステップＳ１として、周囲の通信機器に検索要求を出力（送信）する。つまり、携帯電話１０は、近距離無線通信部２４により近距離無線通信の通信信号が到達する範囲内に検索要求を出力する。検索要求は、携帯電話１０が近距離無線通信による通信可能な範囲内にいる通信機器を検索する信号である。
【００４８】
通信システム１のワイヤレスヘッドホン８ａ、８ｂは、携帯電話１０から出力された検索要求を受信した場合、ステップＳ２として、検索要求に応答する。具体的には、ワイヤレスヘッドホン８ａ、８ｂは、ステップＳ２として、近距離無線通信部５４により、携帯電話１０に自機の固有番号（ＭＡＣアドレス）を送信する。
【００４９】
携帯電話１０は、ステップＳ２で他の通信機器からそれぞれの固有番号の情報を受信した場合、ステップＳ３として、受信した固有番号の情報に基づいて点灯パターンを計算する。また、ワイヤレスヘッドホン８ａ、８ｂは、ステップＳ２で固有番号を送信したら、ステップＳ４として自機の固有番号に基づいて点灯パターンを計算する。なお、固有番号に基づいた点灯パターンの計算は、固有番号に対応する点灯規則が共通の規則として設定されており、設定されている規則と固有番号とに基づいて実行される。また、ワイヤレスヘッドホン８ａ、８ｂは、ステップＳ４の処理を予め実行しておいてもよい。また、通信システム１は、ステップＳ３の処理とステップＳ４の処理を並行して実行することができる。
【００５０】
携帯電話１０は、ステップＳ３で点灯パターンを計算した後、ステップＳ５として、固有番号を受信した通信機器にデバイス名取得要求を出力（送信）する。ワイヤレスヘッドホン８ａ、８ｂは、携帯電話１０から出力されたデバイス名取得要求を受信した場合、ステップＳ６として、アドレス取得要求に応答する。具体的には、ワイヤレスヘッドホン８ａ、８ｂは、ステップＳ６として、近距離無線通信部５４により、携帯電話１０に自機のデバイス名を送信する。なお、ワイヤレスヘッドホン８ａ、８ｂは、同一の機種であるため、デバイス名は同一（本実施形態では、Ｆ１４）となる。
【００５１】
ワイヤレスヘッドホン８ａ、８ｂは、ステップＳ６でデバイス名を送信した後、ステップＳ７として、発光部５８を点灯させる。具体的には、ワイヤレスヘッドホン８ａ、８ｂは、それぞれステップＳ４で算出した点灯パターン（ワイヤレスヘッドホン８ａは、パターン（５）、ワイヤレスヘッドホン８ｂは、パターン（４））で、発光部５８の第１ＬＥＤ５８Ａと第２ＬＥＤ５８Ｂとを点灯させる。
【００５２】
携帯電話１０は、ステップＳ６で各通信機器からデバイス名の応答を受信した場合、ステップＳ８として、機器選択操作を検出する。具体的には、携帯電話１０は、表示部１２Ｂに図６に示す画面７０を表示する。図６に示す画面７０は、機器リスト表示領域７２を有する。機器リスト表示領域７２は、ステップＳ６で受信したデバイス名、つまり、携帯電話１０と近距離無線通信が可能な範囲にあり、固有番号とデバイス名の情報を受信した通信機器のデバイス名を表示させている。また、機器リスト表示領域７２は、複数のデバイス名のうちいずれのデバイスを選択した状態であるかを示すカーソル７６も表示されている。図６は、機器リスト表示領域７２の上から５番目に表示された「Ｆ１４」をカーソル７６が選択した状態を示している。
【００５３】
携帯電話１０は、ステップＳ８で機器選択操作を検出した場合、ステップＳ９として、発光部の点灯処理を開始する。携帯電話１０は、カーソル７６で指定している通信機器に対応した点灯パターンを発光部４０の第１ＬＥＤ４０Ａ、第２ＬＥＤ４０Ｂによって点灯させる。つまり、携帯電話１０は、カーソル７６で指定している通信機器（本実施形態では、５番目に表示されたデバイス名Ｆ１４の通信機器）の固有番号に対応した点灯パターンで、第１ＬＥＤ４０Ａと第２ＬＥＤ４０Ｂとをそれぞれ点灯、消灯させる。なお、携帯電話１０は、カーソル７６を移動させる操作が入力された場合、操作に基づいてカーソル７６を移動させ、移動したカーソル７６が指定する通信端末の固有番号に対応する点灯パターンを発光部４０によって点灯させる。
【００５４】
携帯電話１０は、ステップＳ８の機器選択処理操作を実行している状態で、ステップＳ１０として、決定操作を検出した場合、ステップＳ１１として、決定された１つの通信機器に対してペアリング要求を送信する。決定操作としては、図６に示すようにカーソル７６が通信を希望する通信機器にあっている状態で、決定ボタンを入力する操作がある。また、本実施形態の携帯電話１０は、ステップＳ１１でワイヤレスヘッドホン８ａにペアリング要求を送信し、他の通信機器にはペアリング要求を送信しない。
【００５５】
ワイヤレスヘッドホン８ａは、ステップＳ１１でペアリングを受信した場合、ステップＳ１２として発光部５８を消灯する。つまり、ワイヤレスヘッドホン８ａは、発光部５８でのＬＥＤの点灯を停止する。ワイヤレスヘッドホン８ａは、ステップＳ１１でペアリング要求を受信したら、携帯電話１０とのペアリング処理を実行し、携帯電話１０と近距離無線通信で種々のデータを送受信可能な状態とする。携帯電話１０とワイヤレスヘッドホン８ａとは、ペアリング処理が完了したら、近距離無線通信によって種々の情報を送受信することが可能な状態に移行し、本処理を終了する。
【００５６】
また、ワイヤレスヘッドホン８ｂは、ステップＳ７で発光部５８での点灯を開始してから所定時間が経過した場合、ステップＳ１３として、発光部５８を消灯する。また、ワイヤレスヘッドホン８ｂは、携帯電話１０によって通信相手先として選択されなかったと判定し、本処理を終了する。
【００５７】
次に、図７を用いて、図５に示す通信システム１の処理のうち、携帯電話１０の処理、つまり、通信相手を選択する側の通信機器の処理についてより詳細に説明する。図７に示す処理手順は、近距離無線通信プログラム１９Ａ、報知点灯パターン決定プログラム１９Ｂ、報知制御プログラム１９Ｃが提供する機能に基づいて繰り返し実行される。より具体的には、近距離通信プログラム１９Ａが提供する機能（通信機能）により取得した各種検出結果に基づいて報知点灯パターン決定プログラム１９Ｂが提供する機能（点灯パターン決定機能）を実行し、報知点灯パターン決定プログラム１９Ｂで決定した報知方法に基づいて報知制御プログラム１９Ｃが提供する機能（報知制御機能）を実行する。
【００５８】
まず、近距離無線通信を行う指示が入力されたら、携帯電話１０の制御部２０は、ステップＳ２０として近距離無線通信部２４を起動させる。その後、制御部２０は、ステップＳ２２として、検索要求（周辺機器検索要求）を出力する。なお、制御部２０は、通信可能な領域内にある他の通信機器が検索要求を受信できるように、所定の出力で検索要求を出力する。
【００５９】
制御部２０は、ステップＳ２２で検索要求を出力したら、ステップＳ２４として識別情報（固有番号）を受信する。つまり、検索要求を受信した通信機器から出力された固有番号を受信する。制御部２０は、ステップＳ２４で固有番号を受信したら、ステップＳ２６として、固有番号毎に点灯パターンを決定する。つまり、予め決められた規則に基づいて、通信機器の固有番号毎の点灯パターンを決定する。
【００６０】
制御部２０は、ステップＳ２６で点灯パターンを決定したら、ステップＳ２８として、ステップＳ２４で識別情報を受信した通信機器に対して、デバイス名取得要求を出力する。制御部２０は、ステップＳ２８でデバイス名取得要求を出力したら、ステップＳ３０としてデバイス名を取得する。つまり、制御部２０は、デバイス名取得要求を受信した通信機器から出力された各通信機器のデバイス名の情報を受信する。制御部２０は、ステップＳ３０でデバイス名を取得したら、ステップＳ３２として選択画面を表示させる。つまり、制御部２０は、図６に示す画面のように、受信したデバイス名に基づいて近距離無線通信の通信相手として選択可能な通信機器の一覧を表示させる。つまり、制御部２０は、識別情報およびデバイス名を受信し、通信可能（ペアリング可能）と判定した通信機器の情報を一覧として、表示部１２Ｂに表示させる。また、制御部２０は、選択している通信機器を示すカーソルも表示部１２Ｂに表示させる。
【００６１】
制御部２０は、ステップＳ３２で選択画面を表示させたら、ステップＳ３４として、選択操作、つまりカーソルをどの機器に合わせるかを選択する操作を検出する。なお、制御部２０は、ステップＳ３４で一定時間操作を検出しない場合は、そのままステップＳ３６に進んでもよい。制御部２０は、ステップ３４で選択操作を検出したら、ステップＳ３６として、選択された機器（通信機器）に対応する点灯を開始する。つまり、制御部２０は、選択された機器（通信機器）に対応する点灯パターンで発光部４０を点灯させる処理を開始する。
【００６２】
制御部２０は、ステップＳ３６で選択している機器に基づいた点灯パターンで発光部４０を点灯させたら、ステップＳ３８として、決定操作ありかを判定する。ここで、決定操作とは、カーソルで選択している通信機器を近距離無線通信の通信相手として決定する操作である。制御部２０は、ステップＳ３８で決定操作なし（Ｎｏ）と判定した場合、ステップＳ３４に進み、ステップＳ３４とステップＳ３６の処理を実行する。制御部２０は、ステップＳ３８で決定操作あり（Ｙｅｓ）と判定した場合、ステップＳ４０として、ペアリング要求を出力し、本処理を終了する。
【００６３】
次に、図８を用いて、図５に示す通信システム１の処理のうち、ワイヤレスヘッドホン８ａ、８ｂ等の携帯電話１０以外の通信機器の処理、つまり、通信相手として選択される側の通信機器（第２通信機器）の処理についてより詳細に説明する。図８に示す処理手順は、近距離無線通信プログラム５９Ｂ、点灯パターン（報知方式）決定プログラム５９Ｃ、報知制御プログラム５９Ｄが提供する機能に基づいて繰り返し実行される。より具体的には、近距離通信プログラム５９Ｂが提供する機能（通信機能）により取得した各種検出結果に基づいて点灯パターン決定プログラム５９Ｃが提供する機能（報知方式決定機能）を実行し、点灯パターン決定プログラム５９Ｃで決定した報知方法に基づいて報知制御プログラム５９Ｄが提供する機能（報知制御機能）を実行する。なお、第２通信機器は、同様の処理を実行するが、以下、代表して上述したワイヤレスヘッドホン８ａ、８ｂの処理の場合を説明する。
【００６４】
まず、近距離無線通信を行う指示が入力されたら、制御部６０は、ステップＳ５０として近距離無線通信部５４を起動させる。その後、制御部６０は、ステップＳ５２として、検索要求（周辺機器検索要求）を受信する。なお、制御部６０は、近距離無線通信部５４は、利用者の操作により起動するようにしても常時起動した状態としてもよい。
【００６５】
制御部６０は、ステップＳ５２で検索要求を受信したら、ステップＳ５４として固有番号を出力する。つまり、検索要求を出力した携帯電話１０に向けて自機の固有番号を含む情報を出力する。制御部６０は、ステップＳ５４で固有番号を送信したら、ステップＳ５６として、自機の固有番号（識別情報）に基づいて点灯パターンを決定する。つまり、予め決められた規則と自機の固有番号とに基づいて、点灯パターンを決定する。なお、点灯パターンは、予め算出して決定しておいてもよい。
【００６６】
制御部６０は、ステップＳ５６で点灯パターンを決定したら、ステップＳ５８として、デバイス名取得要求を受信する。制御部６０は、ステップＳ５８でデバイス名取得要求を受信したら、ステップＳ６０としてデバイス名を送信する。つまり、制御部６０は、デバイス名取得要求を出力した通信機器に対して、自機の通信機器のデバイス名の情報を送信する。制御部６０は、ステップＳ６０でデバイス名を送信したら、ステップＳ６２として、点灯表示を開始する。つまり制御部６０は、ステップＳ５６で決定した点灯パターンで発光部５８を点灯させる処理を開始する。
【００６７】
制御部６０は、ステップＳ６２で点灯表示を開始したら、ステップＳ６４として、ペアリング要求があるか、つまりペアリング要求を受信したかを判定する。制御部６０は、ペアリング要求あり、つまりペアリング要求受信した（Ｙｅｓ）と判定した場合、ステップＳ６６としてペアリング処理を実行し、ステップＳ７０に進む。なお、ペアリング処理は、本処理とは別の処理として実行し、制御部６０は、ペアリング要求受信した（Ｙｅｓ）と判定した場合、そのままステップＳ７０に進むようにしてもよい。
【００６８】
制御部６０は、ペアリング要求なし、つまりペアリング要求受信していない（Ｎｏ）と判定した場合、ステップＳ６８として、所定時間経過したか、つまり閾値時間≦経過時間であるかを判定する。制御部６０は、ステップ６８で所定時間経過していない（Ｎｏ）つまり、閾値時間＞経過時間であると判定した場合、ステップＳ６４に進み、ステップＳ６４の処理を実行する。制御部６０は、ステップＳ６８で所定時間経過している（Ｙｅｓ）、つまり閾値時間≦経過時間であると判定したら、ステップＳ７０に進む。制御部６０は、ステップＳ６８でＹｅｓと判定した場合、ステップＳ６６の処理を実行した場合、ステップＳ７０として点灯終了処理、つまり発光部での点灯パターンの表示を終了させる処理を実行し、本処理を終了する。
【００６９】
これにより、ユーザは、カーソルを合わせる通信機器を選択し、表示される点灯と各通信機器の発光部で点灯している点灯とを比較し、一致する点灯の通信機器を見つけるのみで、複数表示されている接続可能な通信機器の中から当該通信を行いたい通信機器を特定することができる。これにより、ユーザは、簡単な操作で通信機器を特定することができ、固有番号や機種を確認する手間をなくすことができる。また、選択する通信機器を切り換えるだけで自機に表示させる点灯パターンを切り換えることができるため、ユーザは、比較対象の通信機器を簡単に切り換えることができる。
【００７０】
また、通信システム１は、近距離無線通信の際に各個体を識別するために別々の番号が付されている固有番号を用いることで、各通信機器の点灯パターンを異なる点灯パターンとすることができる。これにより、通信機器を確実に識別することができる。また、通信システム１は、近距離無線通信に使用する固有番号を用いて点灯パターンを決定するため、新たに特殊な情報を送受信する必要がないため、送信に使用する情報を増加させることなく、処理を実行することができる。これにより、処理の負荷の増加を抑制しつつ、複数表示されている接続可能な通信機器の中から当該通信を行いたい通信機器を特定することができる。
【００７１】
また、通信システム１は、発光部に表示、出力させる点灯で識別することで、各通信機器が他の用途のために備えている機能を用いて、点灯させることができる。つまり、表示部を備えていない通信機器であっても近距離無線通信の状態や電源のＯＮ／ＯＦＦを示すための発光部で点灯させることができる。これにより、通信システム１に新たな装置を追加することなく、識別することが可能となる。なお、上記実施形態では、通信機器に発光部を備えている構成としたが、通信機器が発光部を備えておらず、かつ表示部を備えている場合、表示部に発光部に対応する画像を表示させることで、つまり第１ＬＥＤと第２ＬＥＤに対応する２つの発光領域を表示させることで、点灯パターンを表示させることができる。つまり、通信システムは、点灯パターンを表示、点灯させる照明部としては、ＬＥＤ等の発光素子を備える発光部や液晶ディスプレイ等の画像表示機構を備える表示部を用いることができる。
【００７２】
また、通信システム１の通信機器は、上記実施形態のように、ペアリング要求を受信した場合、発光部の点灯を停止させることで、消費エネルギの増加を抑制することができる。また、通信システム１の通信機器は、上記実施形態のように、ペアリング要求を受信しない状態で所定時間が経過した場合、発光部の点灯を停止させることで、消費エネルギの増加を抑制することができる。
【００７３】
ここで、通信システム１は、固有番号に対応する点灯パターンによる点灯は、予め規則を設定しておけば、どのような表示規則としてもよい。ここで、点灯パターンは、固有番号の一部のみにより決定することが好ましい。例えば、固有番号の下位の３バイト分の情報のみに基づいて点灯パターンを決定することが好ましい。このように、点灯パターンを固有番号の一部のみに基づいて決定することで、点灯パターンが必要以上に長くなることを抑制できる。また、利用者は、デバイス名に基づいて対象の通信機器を特定できるため、固有番号の一部のみを用いた場合でも、特定できない通信機器（同機種の通信機器）の中から所望の通信機器を識別することは可能となる。また、固有番号の上位の桁は、製造メーカや機種等、デバイス名で一定程度の識別が可能な情報であるため、下位の３バイトを用いることで、短時間で識別に必要な点灯パターンを表示させることができる。ここで、点灯パターンとしては、例えば、固有番号が「８８：１４：６０：１２：３４：５６」であり、下位の３バイトの情報のみを使用する場合、「１２」から第１ＬＥＤ５８Ａを１秒、第２ＬＥＤ５８Ｂを２秒点灯させ、「３４」から第１ＬＥＤ５８Ａを３秒、第２ＬＥＤ５８Ｂを４秒点灯させ、「５６」から第１ＬＥＤ５８Ａを５秒、第２ＬＥＤ５８Ｂを６秒点灯させる点灯パターンとする。これにより、第１ＬＥＤ５８Ａを１秒、３秒、５秒の順で点灯させ、第２ＬＥＤ５８Ｂを２秒、４秒、６秒の順で点灯させる。なお、消灯の時間（点灯の間隔）も予め設定した規則に基づいて算出する。
【００７４】
また、通信システム１は、点灯パターンによる点灯を一回実行させた場合、一定時間（例えば１０秒）消灯させた後、該点灯パターンによる点灯を再度実行させることが好ましい。これにより、点灯の開始タイミングが特定することができ、比較が容易となる。また、通信システム１は、携帯電話１０から他の通信機器に点灯開始タイミングの指示を出力するようにしてもよい。例えば、携帯電話１０は、カーソルの移動を検出し、点灯させる通信機器が切り換えられたことを検出した場合、他の通信機器に一定時間の経過後（自機の表示部１２Ｂに点灯を開始する時点）を開始タイミングとする指示を出力するようにしてもよい。これにより、通信機器の識別をより容易にすることができる。
【００７５】
また、通信機器は、上述した通信相手先を選択する通信機器（第１通信機器）と、通信相手先に選択される通信機器（第２通信機器）との両方の機能を備え、使用に応じて、いずれの通信機器としても使用できることが好ましいが、いずれか一方の機能のみを備えていてもよい。また、通信システム１は、上述したように、近距離無線通信として種々の通信を用いることができるが、Bluetooth（登録商標）方式を用いた通信とすることが好ましい。Bluetooth（登録商標）方式を用いた通信で近距離無線通信を実行することで、より広範囲の通信機器との通信が可能となる。また、広範囲の通信機器が通信相手の対象となった場合でも、上述したシステムを用いることで、通信対象の通信機器を簡単かつ確実に特定することができる。
【００７６】
なお、上記の説明により本発明が限定されるものではない。また、上記の説明における構成要素には、当業者が容易に想定できるもの、実質的に同一のもの、いわゆる均等の範囲のものが含まれる。
【符号の説明】
【００７７】
１  通信システム
６ａ、６ｂ、６ｃ  ＰＣ
８ａ、８ｂ、８ｃ  ワイヤレスヘッドホン
９ａ、９ｂ  ワイヤレスキーボード
１０、１０ａ、１０ｂ  携帯電話
１１  筐体
１２  タッチパネル
１２Ａ  タッチセンサ
１２Ｂ  表示部
１３  入力部
１５、５６  電源部
１６  通信部
１７  レシーバ
１８  マイク
１９、５９  記憶部
１９Ａ、５９Ｂ  近距離無線通信プログラム
１９Ｂ、５９Ｃ  点灯パターン決定プログラム
１９Ｃ、５９Ｄ  報知制御プログラム
１９Ｄ  処理条件テーブル
１９Ｅ、５９Ａ  機器情報
２０、６０  制御部
２４、５４  近距離無線通信部
３０、３２  ボタン
３４  入力デバイス
５２  スピーカ
５８  発光部
５８ａ  第１ＬＥＤ
５８ｂ  第２ＬＥＤ
【図１】
2013030844.tif 000003
【図２】
2013030844.tif 000004
【図３】
2013030844.tif 000005
【図４】
2013030844.tif 000006
【図５】
2013030844.tif 000007
【図６】
2013030844.tif 000008
【図７】
2013030844.tif 000009
【図８】
2013030844.tif 000010